(57)【要約】【課題】キャビネット本体の天板の有効利用面積を確保しつつ、支柱を確実かつ容易に立設できる上部収納具を備えたキャビネットを提供すること。【解決手段】キャビネット本体２の後方に支柱３，３を設け、この支柱３，３に上部キャビネット４等の上部収納具を備えるキャビネット１において、後面板を左右両側板２Ｃの後端より前方に取り付けると共に、この後面板と両側板２Ｃとに囲まれた後面板後方下方に支持板６を取付け、支柱３下端を支持板６に螺着（７）し、支柱３の中間部をキャビネット本体２の天板２Ａ後方に形設した切欠き２ａに嵌入させ、天板２Ａ上方に延設した支柱３に上部収納具である上部キャビネット４を取り付ける。【選択図】  図２
2004159695.tif 000002
【特許請求の範囲】
【請求項１】
キャビネット本体の後方に支柱を設け、該支柱に上部キャビネットあるいは棚板等の上部収納具を備えるキャビネットであって、後面板を左右両側板の後端より前方に取り付けると共に、前記後面板と両側板とに囲まれた後面板後方下方に支持板を取り付け、支柱下端を前記支持板に螺着し、支柱の中間部をキャビネット本体の天板後方に形設した切欠きに嵌入させ、天板上方に延設した支柱に上部収納具を取り付けたことを特徴とするキャビネット。
【請求項２】
前記支柱は前記切欠き部近傍においてキャビネット本体に取付金具にて固着されている請求項１に記載のキャビネット。
【請求項３】
前記後面板と両側板とに囲まれたキャビネット本体後部を配線空間とした請求項１または２に記載のキャビネット。
【請求項４】
前記支柱上端に上部収納具のためのプレートを取り付けた請求項１ないし３の何れかに記載のキャビネット。
【請求項５】
前記支柱は配線収納空間を有している請求項１ないし４の何れかに記載のキャビネット。
【発明の詳細な説明】
【０００１】
【発明の属する技術分野】
本発明は、キャビネット本体の後方に支柱を設け、該支柱に上部キャビネットあるいは棚板等の上部収納具を備えるキャビネットに関する。
【０００２】
【従来の技術】
従来、キャビネット本体の上部に上部キャビネットあるいは棚板等の上部収納具を備えて収納容積の拡大を図ったキャビネット類は知られている。そして、上部収納具を備える手段として、上部支柱を下部机脚に立設したコ字状の垂直部材に嵌挿させて所定位置でボルト留めして上部支柱に棚板を設けたもの（特許文献１参照）や、キャビネット本体の天板上に直接上部キャビネットの側板や後板を立設したもの（特許文献２参照）がある。
【０００３】
【特許文献１】
特開平１１−１６４７４１号公報（第２−３頁、段落００１１、００１６、図２）
【特許文献２】
実開平６−７７５８４号公報（第１−２頁、図１）
【０００４】
【発明が解決しようとする課題】
しかしながら、上記特許文献１に記載のものは、下部机脚の他にコ字状の垂直部材を立設しなければならず、構造が複雑でコスト高であった。また、特許文献２に記載のものは、キャビネット本体の天板の有効利用面積が制限されるだけでなく、天板上が後板、側板でコ字状に囲まれているので、開放感がなくかつ天板上の照度が不足する欠点があった。
【０００５】
本発明は、このような状況に鑑みてなされたもので、キャビネット本体の天板の有効利用面積を確保しつつ、支柱を確実かつ容易に立設できる上部収納具を備えたキャビネットを提供することを目的とするものである。
【０００６】
【課題を解決するための手段】
上記課題を解決するために、本発明のキャビネットは、キャビネット本体の後方に支柱を設け、該支柱に上部キャビネットあるいは棚板等の上部収納具を備えるキャビネットであって、後面板を左右両側板の後端より前方に取り付けると共に、前記後面板と両側板とに囲まれた後面板後方下方に支持板を取り付け、支柱下端を前記支持板に螺着し、支柱の中間部をキャビネット本体の天板後方に形設した切欠きに嵌入させ、天板上方に延設した支柱に上部収納具を取り付けたことを特徴としている。
この特徴によれば、天板は切欠きだけが形設されるので天板の有効利用面積は殆ど確保でき、また、支柱下端を支持板に螺着し、支柱の中間部を切欠きに嵌入させるだけであるので組み付けがきわめて容易である。
【０００７】
本発明のキャビネットにおいて、前記支柱は前記切欠き部近傍においてキャビネット本体に取付金具にて固着されていることが好ましい。
このようにすれば、支柱を２箇所で支持しているのでより安定且つ堅牢に立設できる。
【０００８】
本発明のキャビネットにおいて、前記後面板と両側板とに囲まれたキャビネット本体後部を配線空間とすることが好ましい。
このようにすれば、キャビネット本体後部に展開する支柱立設のための空間を配線空間としても使える。
【０００９】
本発明のキャビネットにおいて、前記支柱上端に上部収納具のためのプレートを取り付けたことが好ましい。
このようにすれば、支柱上端にプレートを取り付けることで、各種上部収納具を安定的に載置できる。
【００１０】
本発明のキャビネットにおいて、前記支柱は配線収納空間を有していることが好ましい。
このようにすれば、上部収納具側に配線が必要な場合でも、配線ケーブル等を露出することなく支柱内を通して配線できる。
【００１１】
【発明の実施の形態】
以下、本発明の実施形態を図面に基づいて説明する。図１は本発明の一実施形態に係る上部キャビネットを備えたキャビネットの全体斜視図であり、図２はその分解組立図である。
【００１２】
図１において符号１はキャビネットであって、このキャビネット１は、キャビネット本体２と２本の支柱３に支えられている上部キャビネット４とで構成されている。
【００１３】
図２に示すように、２本の支柱３は何れもその下端がキャビネット本体２の後面下部に設けた支持板６にネジ部材７にて固定されている。そして、キャビネット本体２の天板２Ａの後方左右端部近傍には切欠き２ａ，２ａが形設され、この切欠き２ａ、２ａに支柱３の中間部が嵌入している。
【００１４】
したがって、支柱３は下端が支持板６にねじ留めされ、中間部は切欠き２ａ、２ａにより左右方向及び前方方向への移動が拘束されているので、揺らぐことなくしっかりと立設することができ、支柱の組み付けも容易にできる。
【００１５】
しかしながら、支柱３をより堅牢にキャビネット本体２に組み付けるには、この切欠き２ａ近傍において、支柱３にネジ部材８により取り付けたブラケット９を天板２Ａの下面あるいは後面板２Ｂ（図４又は５参照）にネジ部材１０で螺着するとよい。
【００１６】
支柱３の上端には上部キャビネット４を取り付けるためのプレート１２がネジ部材１３により螺着されている。このプレート１２はキャビネット本体２の前方側に延びており、上部キャビネット４の底面をネジ部材１４にて螺着して２本の支柱３，３で上部キャビネット４を支えている。
【００１７】
次に図３により支柱の構造について説明する。図３は支柱からカバー体を外した分解斜視図であり、この支柱３は断面が略楕円形状をなし、外周の一部が上下方向に沿って開口し、この開口部にカバー体１６が着脱可能に装着されている。
【００１８】
その開口の両端縁から内方に向けて延設する一対の取付け面１７が上下方向に延び、この取付け面に取付け用ブラケットを固定するためのねじ穴Ｔが複数設けられている。
【００１９】
取付け面１７に取り付けたブラケット９は支柱３をキャビネット本体２に固定するためのもので、取付け面１７に取り付けるためのネジ挿通孔９ａと天板下面に取り付けるための２つのネジ挿通孔９ｂ、９ｂが設けられている。
【００２０】
支柱３の底部は支持板６にネジ部材７で固着され、支柱３の頂部はプレート１２を取り付けるための２つの雌ねじ２０が螺設されている。ブラケット９とプレート１２間には棚等の上部収納具を取り付けるためのブラケットを、支柱３の取付け面１７にねじ穴Ｔを介して適宜設けることができる。支柱３の頂部に取り付けたプレート１２を平坦に構成しておけば、各種上部収納具の取付けに対応することができる。
【００２１】
２つの取付け面１７の間には上下方向に延びる配線収納溝Ｈが形成され、カバー体１６の２本の屈曲片１６ａ，１６ａの先端が係止凹部２１，２１に係合することで開口は閉鎖され、配線収納溝Ｈと屈曲片１６ａ間で配線空間が形成される。
【００２２】
次に図４，図５に基づいて、支柱の取付け手順について説明する。図４は支柱取付け前のキャビネット本体を後方から視た組立図であり、図５は支柱取付け後のキャビネット本体を後方から視た組立図である。
【００２３】
図４において、キャビネット本体２の後面板２Ｂは左右両側板２Ｃ、２Ｃの後端より前方に取り付けられ、この後面板２Ｂと両側板２Ｃ、２Ｃとで囲まれた後面板後方下方に支持板６が取り付けられている。
【００２４】
先ず２本の支柱３，３内に必要に応じて配線ケーブル等を収納した後、カバー体１６を支柱３、３にはめ込んで開口を閉鎖する。支柱３の頂部にはプレート１２をネジ部材１３で取り付けておく。その後、支柱３の下端をネジ部材７を用いて支持板６に固定する。このとき、図５に示すように、支柱３の中間部を天板２Ａの後端に形設した切欠き２ａ，２ａに嵌入させる。
【００２５】
このように構成することで、支柱３は下部が支持板６に固定され中間部が切欠きによりその移動を拘束されているので、プレート１２上に上部キャビネット４を取り付けても揺らぐことなく立脚できる。上部キャビネットが比較的重量物である場合には、支柱３をキャビネット本体２にブラケット９を介してより堅牢に取り付けることもできる。
【００２６】
また、天板２Ａは切欠き２ａを形設するのみであるから、有効利用面積が殆ど減じることなく使用でき、キャビネット本体２の後部は支柱があるだけで開放感があり、天板２Ａが暗くなるようなこともない。
【００２７】
支柱３内には配線ケーブルが収納できるので、上部収納具側に配線が必要な場合には、配線ケーブル等を露出することなく支柱内を通して配線できる。また後面板２Ｂ、両側板２Ｃ、２Ｃ、天板２Ａ及び支持板６とで囲まれたキャビネット本体２の後部空間は、天板２Ａ上で使用するパソコン等のコンセントボックス２４に通じる電源ケーブルＣのための収納部として使うことができる。支柱内の配線ケーブルを途中で取り出し天板上のパソコン等に配線してもよいことは言うまでもない。
【００２８】
以上、本発明の実施形態を図面により説明してきたが、具体的な構成はこれら実施例に限られるものではなく、例えば、支柱は２本に限定されるものでなく１本でも３本以上あってもよい。また、天板上部に保持されるものは上部キャビネットだけでなく小物類を載置できる棚類であってもよく、要は上部収納具であれば全て含まれる。
【００２９】
【発明の効果】
本発明は以下の効果を奏する。
【００３０】
（ａ）請求項１項の発明によれば、天板は切欠きだけが形設されるので天板の有効利用面積は殆ど確保でき、また、支柱下端を支持板に螺着し、支柱の中間部を切欠きに嵌入させるだけであるので組み付けがきわめて容易である。
【００３１】
（ｂ）請求項２項の発明によれば、支柱を２箇所で支持しているのでより安定且つ堅牢に立設できる。
【００３２】
（ｃ）請求項３項の発明によれば、キャビネット本体後部に展開する支柱立設のための空間を配線空間としても使える。
【００３３】
（ｄ）請求項４項の発明によれば、支柱上端にプレートを取り付けることで、各種上部収納具を安定的に載置できる。
【００３４】
（ｅ）請求項５項の発明によれば、上部収納具側に配線が必要な場合でも、配線ケーブル等を露出することなく支柱内を通して配線できる。
【図面の簡単な説明】
【図１】本発明の一実施形態に係る上部キャビネットを備えたキャビネットの全体斜視図である。
【図２】同じくその分解組立図である。
【図３】支柱からカバー体を外した分解斜視図である。
【図４】支柱取付け前のキャビネット本体を後方から視た組立図である。
【図５】支柱取付け後のキャビネット本体を後方から視た組立図である。
【符号の説明】
１                          キャビネット
２                          キャビネット本体
２Ａ                      天板
２Ｂ                      後面板
２Ｃ                      側板
２ａ                      切欠き
４                          上部キャビネット
６                          支持板
７，８                        ネジ部材
９                          ブラケット
９ａ、９ｂ                ネジ挿通孔
１０                        ネジ部材
１２                        プレート
１３、１４                  ネジ部材
１６                        カバー体
１６ａ                    屈曲片
１７                        取付け面
２０                        雌ねじ
２１                        係合凹部
２４                        コンセントボックス
Ｃ                          電源ケーブル
Ｈ                          配線収納溝
Ｔ                          ねじ穴
【図１】
2004159695.tif 000003
【図２】
2004159695.tif 000004
【図３】
2004159695.tif 000005
【図４】
2004159695.tif 000006
【図５】
2004159695.tif 000007